(57)【要約】【課題】打球供給皿における遊技球の貯留状態によらず、安定してファール球を流下させることができ、ファール球が遊技に悪影響を及ぼすことを防止することができる遊技機の球流下機構を提供すること。【解決手段】遊技機の球流下機構は、このファール球を打球供給皿又は補助球受皿へと流下させる主ファール球回収流路５１を設けてなる。主ファール球回収流路５１の迂回流下スペース５１０は、入口部５１４から流入してきたファール球を後方へ流下させる第一案内部５１１と、第一案内部５１１に沿って流下したファール球を前方へ流下させる第二案内部５１２とを形成してなり、かつ、第二案内部５１２に沿って流下するファール球を打球供給皿３１へ流下させる出口部５１５を有すると共に、当該迂回流下スペース５１０の前方側において、迂回流下スペース５１０からオーバーフロー流路４へファール球を流下させる連通流路５２の入口部５２１を有している。【選択図】図５
2011055994.tif 000002
【特許請求の範囲】
【請求項１】
遊技盤を配設した本体枠に対して、球発射装置へ遊技球を供給する打球供給皿と、該打球供給皿から溢れた遊技球を貯留する補助球受皿とを配設すると共に、上記打球供給皿から溢れた遊技球を上記補助球受皿へ導くオーバーフロー流路と、上記球発射装置から発射された後上記遊技盤の遊技領域へ到達せずに上記球発射装置側へ戻ってくるファール球を回収し、該ファール球を上記打球供給皿又は上記補助球受皿へと流下させるファール球回収流路とを設けてなる遊技機の球流下機構において、
上記ファール球回収流路は、ファール球を流下させる迂回流下スペースを有しており、
該迂回流下スペースは、上記ファール球回収流路の入口部から流入してきたファール球を後方へ流下させる第一案内部と、該第一案内部に沿って流下したファール球を前方へ流下させる第二案内部とによってファール球の流下経路を形成してなり、かつ、上記第二案内部に沿って流下するファール球を上記打球供給皿へ流下させる出口部を有すると共に、当該迂回流下スペースの前方側において、該迂回流下スペースから上記オーバーフロー流路へファール球を流下させる連通流路の入口部を有することを特徴とする遊技機の球流下機構。
【請求項２】
請求項１において、上記迂回流下スペースにおける底面には、上記第二案内部の底面の高さを第一案内部の底面の高さより低くする段差形状が形成してあり、
上記連通流路の入口部は、上記第一案内部の前方側に形成してあることを特徴とする遊技機の球流下機構。
【請求項３】
請求項１又は２において、上記本体枠には、球払出装置から払い出される遊技球を上記打球供給皿へ導くための球払出流路が設けてあり、
上記迂回流下スペースの上記出口部は、該迂回流下スペースを流下するファール球を上記球払出流路に対して左右方向から合流させるよう、上記遊技盤の前面よりも後方側の位置において上記球払出流路の側方部に開口しており、
上記連通流路の出口部は、該連通流路を流下するファール球を上記オーバーフロー流路に対して左右方向から合流させるよう、上記遊技盤の前面よりも後方側の位置において上記オーバーフロー流路の側方部に開口していることを特徴とする遊技機の球流下機構。
【発明の詳細な説明】
【技術分野】
【０００１】
本発明は、打球供給皿及び補助球受皿を有する遊技機の球流下機構に関する。
【背景技術】
【０００２】
パチンコ遊技機等の遊技機において、上下２つの球皿を配設する場合には、上皿（打球供給皿）における遊技球の貯留量が一定数を超えたときに、この一定数を超えた遊技球を下皿（補助球受皿）へ溢れさせるためのオーバーフロー流路を設けることが行われている。また、遊技機の本体枠においては、球発射装置から発射された後、遊技盤の遊技領域へ到達せずに球発射装置側へ戻ってくるファール球（遊技球）を回収する流路が設けられている。
【０００３】
例えば、特許文献１のパチンコ機におけるファール球処理装置においては、前面枠の前面に打球供給皿と下部球受皿を設け、また、前面枠に、ファール球戻し口から落下するファール球を打球供給皿へ導くファール球通路と、ファール球通路からファール球を下部球受皿へ導く通路部材とを設けている。また、ファール球通路の側縁部に、ファール球が落下する開口部を設けている。これにより、打球供給皿が賞球によって満杯でないときには、ファール球戻し口から落下するファール球を打球供給皿に戻すことができる一方、打球供給皿が賞球によって満杯になったときには、ファール球通路を流下するファール球を開口部から通路部材へ落下させて、下部球受皿に流下させることができる。
【先行技術文献】
【特許文献】
【０００４】
【特許文献１】特開平１０−２１６３０７号公報
【発明の概要】
【発明が解決しようとする課題】
【０００５】
しかしながら、特許文献１においては、ファール球通路の形状には特に工夫を行っていない。そのため、打球供給皿が満杯になっていないときでも、遊技機に加わる振動等を受けて、ファール球が誤って開口部へ落下するおそれがある。また、特許文献１においては、ファール球通路にファール球を貯留することはできない。従って、ファール球の回収をより安定して行うためには、更なる工夫が必要とされる。
【０００６】
本発明は、かかる従来の問題点に鑑みてなされたもので、打球供給皿における遊技球の貯留状態によらず、安定してファール球を流下させることができ、ファール球が遊技に悪影響を及ぼすことを防止することができる遊技機の球流下機構を提供しようとするものである。
【課題を解決するための手段】
【０００７】
本発明は、遊技盤を配設した本体枠に対して、球発射装置へ遊技球を供給する打球供給皿と、該打球供給皿から溢れた遊技球を貯留する補助球受皿とを配設すると共に、上記打球供給皿から溢れた遊技球を上記補助球受皿へ導くオーバーフロー流路と、上記球発射装置から発射された後上記遊技盤の遊技領域へ到達せずに上記球発射装置側へ戻ってくるファール球を回収し、該ファール球を上記打球供給皿又は上記補助球受皿へと流下させるファール球回収流路とを設けてなる遊技機の球流下機構において、
上記ファール球回収流路は、ファール球を流下させる迂回流下スペースを有しており、
該迂回流下スペースは、上記ファール球回収流路の入口部から流入してきたファール球を後方へ流下させる第一案内部と、該第一案内部に沿って流下したファール球を前方へ流下させる第二案内部とによってファール球の流下経路を形成してなり、かつ、上記第二案内部に沿って流下するファール球を上記打球供給皿へ流下させる出口部を有すると共に、当該迂回流下スペースの前方側において、該迂回流下スペースから上記オーバーフロー流路へファール球を流下させる連通流路の入口部を有することを特徴とする遊技機の球流下機構にある（請求項１）。
【発明の効果】
【０００８】
本発明の遊技機の球流下機構においては、ファール球回収流路に上記迂回流下スペースを設け、ファール球を迂回して流下させることにより、打球供給皿における遊技球の貯留状態によらず、円滑にファール球を流下させる工夫を行っている。
【０００９】
球発射装置から発射された後、遊技盤の遊技領域へ到達せずに戻ってきたファール球は、迂回流下スペースの入口部へ流下する。次いで、迂回流下スペースの入口部に流下したファール球は、その流入時の勢いにより、第一案内部において後方へ流下した後、第二案内部において前方へ流下する。そして、ファール球は、第二案内部に設けた出口部から打球供給皿へ流下する。これにより、通常は、ファール球が優先的に打球供給皿へと流下供給されることとなり、このファール球を、再び発射されるべき遊技球として速やかに利用することができる。また、ファール球が誤って連通流路の入口部へと流下して補助球受皿へ排出されることを防止することができる。そのため、補助球受皿に排出されたファール球を、遊技者によって再び打球供給皿へ移動させるという煩わしい行為をなくすことができる。
【００１０】
一方、パチンコ遊技を行う際に、打球供給皿が遊技球によって満タン状態（最大貯留可能量）になったときは、打球供給皿から溢れ出した遊技球は、迂回流下スペースの出口部の下流側まで充満される。そして、迂回流下スペースの出口部が遊技球によって塞がれた状態となるので、迂回流下スペースの入口部に流下したファール球は、第一案内部を後方へ流下した後、第二案内部に貯留される。
その後、第二案内部がファール球で充満されたときには、ファール球は、連通流路の入口部へ流下し、オーバーフロー流路を経由して補助球受皿へ流下する。
【００１１】
このように、本発明においては、打球供給皿が遊技球によって満タン状態になるまでは、ファール球を、迂回流下スペースの出口部から打球供給皿へ安定して確実に流下させることができる。一方、打球供給皿が満タン状態になったときには、迂回流下スペースに所定量のファール球を貯留することができ、その後、ファール球を、連通流路の入口部からオーバーフロー流路及び補助球受皿へ安定して流下させることができる。
【００１２】
これにより、打球供給皿における遊技球の貯留状態によって、ファール球を打球供給皿へ流下させるか、補助球受皿へ流下させるかを安定して振り分けることができる。また、迂回流下スペースの形成により、ファール球回収流路におけるファール球の貯留量を増加させることもできる。
そのため、ファール球がファール球回収流路から溢れ出して、球発射装置の側へ逆流することを防止することができ、球発射装置から発射された遊技球に悪影響を与えることを防止することができる。
【００１３】
それ故、本発明の遊技機の球流下機構によれば、打球供給皿における遊技球の貯留状態によらず、安定してファール球を流下させることができ、ファール球が遊技に悪影響を及ぼすことを防止することができる。
【図面の簡単な説明】
【００１４】
【図１】実施例における、球皿パネルを開けた状態の遊技機を示す斜視図。
【図２】実施例における、遊技機における適宜箇所を上方から見た状態で示す断面説明図。
【図３】実施例における、本体枠の前面側を示す斜視図。
【図４】実施例における、球皿パネルの裏面側を示す斜視図。
【図５】実施例における、主ファール球回収流路の周辺を示す斜視図。
【図６】実施例における、球皿パネルを閉じた状態のシャッター部材の周辺を側方から見た状態で示す断面説明図。
【図７】実施例における、球皿パネルを開けた状態のシャッター部材の周辺を側方から見た状態で示す断面説明図。
【図８】実施例における、球払出流路の周辺を側方から見た状態で示す断面説明図。
【発明を実施するための形態】
【００１５】
上述した本発明の遊技機の球流下機構における好ましい実施の形態につき説明する。
本発明において、上記迂回流下スペースにおける底面には、上記第二案内部の底面の高さを第一案内部の底面の高さより低くする段差形状が形成してあり、上記連通流路の入口部は、上記第一案内部の前方側に形成してあることが好ましい（請求項２）。
この場合には、段差形状の形成によって、第二案内部に流下したファール球が第一案内部へ逆流することを防止することができる。これにより、一度第二案内部へと流下したファール球が誤って第一案内部側に形成された連通流路の入口部へ流下してしまうことを確実に防止することができる。
【００１６】
また、上記本体枠には、球払出装置から払い出される遊技球を上記打球供給皿へ導くための球払出流路が設けてあり、上記迂回流下スペースの上記出口部は、該迂回流下スペースを流下するファール球を上記球払出流路に対して左右方向から合流させるよう、上記遊技盤の前面よりも後方側の位置において上記球払出流路の側方部に開口しており、上記連通流路の出口部は、該連通流路を流下するファール球を上記オーバーフロー流路に対して左右方向から合流させるよう、上記遊技盤の前面よりも後方側の位置において上記オーバーフロー流路の側方部に開口していることが好ましい（請求項３）。
この場合には、打球供給皿へ遊技球が払い出される球流出口又は補助球受皿へ遊技球が払い出される球流出口から、針金等の種々の不正手段を差し込み、この不正手段によって迂回流下スペースの出口部又は連通流路の出口部を介して、遊技盤の遊技領域に配置された遊技装置等に不正な行為を行おうとしても、迂回流下スペースの出口部や連通流路の出口部が遊技盤の前面よりも後方側という遊技機において奥まった位置にあり、かつ、これらの出口部が前方側ではなく側方に開口しているので、不正手段を遊技機内部に侵入させる行為を行い難くすることができる。そのため、遊技機の防犯性を向上させることができる。
【実施例】
【００１７】
以下に、本発明の遊技機の球流下機構にかかる実施例につき、図面を参照して説明する。
本例の遊技機１は、遊技盤２８を配設した本体枠２に対して、球発射装置２６へ遊技球を供給する打球供給皿３１と、打球供給皿３１から溢れた遊技球を貯留する補助球受皿３２とを配設してなる。遊技機１の球流下機構は、打球供給皿３１から溢れた遊技球を補助球受皿３２へ導くオーバーフロー流路４と、球発射装置２６から発射された後、遊技盤２８の遊技領域へ到達せずに球発射装置２６側へ戻ってくるファール球（遊技球）を回収し、このファール球を打球供給皿３１又は補助球受皿３２へと流下させる主ファール球回収流路５１とを設けてなる。
【００１８】
主ファール球回収流路５１は、ファール球を流下させる迂回流下スペース５１０を有している。迂回流下スペース５１０は、主ファール球回収流路５１の入口部５１４から流入してきたファール球を後方へ流下させる第一案内部５１１と、第一案内部５１１に沿って流下したファール球を前方へ流下させる第二案内部５１２とによってファール球の流下経路を形成してなる。また、迂回流下スペース５１０は、第二案内部５１２に沿って流下するファール球を打球供給皿３１へ流下させる出口部５１５を有すると共に、当該迂回流下スペース５１０の前方側（詳しくは第一案内部５１１の前方側）において、迂回流下スペース５１０からオーバーフロー流路４へファール球を流下させる連通流路５２の入口部５２１を有している。
【００１９】
以下に、本例の遊技機の球流下機構につき、図１〜図８を参照して詳説する。
図１、図２に示すごとく、本例の遊技機１は、パチンコ遊技機である。本例の球皿パネル３には、打球供給皿３１と補助球受皿３２とが配設してある。球皿パネル３は、遊技盤２８の遊技領域が視認できる状態でガラス板を設けたガラス扉３０と一体的に設けてある。また、本体枠２には、入賞に応じた所定数の遊技球を払い出す球払出装置（図示略）と、球払出装置から払い出された遊技球を打球供給皿３１へ流下させる球払出流路２１とが配設してある。
【００２０】
ガラス扉３０と球皿パネル３とは、左右いずれかの端部（本例では左側の端部）に設けた回動支点部を中心に、本体枠２に対して一体となって開閉するよう構成されている。
なお、打球供給皿３１及び補助球受皿３２を配設した球皿パネル３を、ガラス扉３０と別々に開閉するよう構成することもできる。また、打球供給皿３１と補助球受皿３２とを別々に開閉する球皿パネル３に設けることもできる。さらに、ガラス扉３０と打球供給皿３１とを一体に開閉するよう構成し、補助球受皿３２が設けられた球皿パネル３がそれとは別に開閉するように構成することもできる。
【００２１】
図２、図３に示すごとく、球払出流路２１は、上方から流下する遊技球を前方へ流下させる前方流路部２１１と、前方流路部２１１を流下する遊技球を左右方向へ流下させる屈曲流路部２１２とを有している。本例の球払出装置は、遊技機１の前面側から見て左側の端部の近傍に配設してあり、屈曲流路部２１２は、前方流路部２１１から流下する遊技球を右側へ屈曲させて流下させるよう形成してある。
【００２２】
図１、図６に示すごとく、本例のオーバーフロー流路４は、本体枠２に配設した本体枠側流路４１と、球皿パネル３に配設した球皿側流路４５とからなる。本体枠側流路４１における下流側端部４１１には、球皿パネル３を本体枠２に対して開けたときに、当該下流側端部４１１を遮るシャッター部材６が配設してある。球皿側流路４５には、遊技球の払出を停止させるための満タン検出部７が配設してある。
【００２３】
図８に示すごとく、オーバーフロー流路４における本体枠側流路４１は、本体枠２の前面よりも後方に形成された後方側流路部分４１Ａを有している。この後方側流路部分４１Ａは、前方流路部２１１の後方及び下側に形成されており、前方流路部２１１の後方側から遊技球を受け、下方に流下させた後、前方側に向けて流下させるよう構成してある。
後方側流路部分４１Ａは、前方流路部２１１を形成する区画流路部材４３によって前方流路部２１１と区画して形成されており、区画流路部材４３は、前後方向の中間部のやや後方位置に頂点部Ｃを形成し、頂点部Ｃから前方へ下降傾斜する底面を形成した前方側傾斜部分Ａと頂点部Ｃから後方へ下降傾斜する底面を形成した後方側傾斜部分Ｂとを有している。そして、球払出装置から払い出された遊技球は、その流下の勢いによって払出上流側流路２０を経由して区画流路部材４３の前方側傾斜部分Ａへ流下するようになっている（図８において、この遊技球の流下を矢印Ｉで示す。）。
【００２４】
そして、打球供給皿３１が満タン状態になり、この打球供給皿３１から遊技球が溢れ出して、前方流路部２１１を形成する区画流路部材４３の前方側傾斜部分Ａにまで遊技球が貯留されたときには、それ以降に払い出される遊技球が区画流路部材４３の後方側傾斜部分Ｂへ溢れ出し、本体枠側流路４１及び球皿側流路４５（オーバーフロー流路４）を経由して補助球受皿３２へ流下するようになっている。
【００２５】
図３に示すごとく、本体枠２の前面には、球払出流路２１における前方流路部２１１が連通する上側流下開口穴２１３と、後方側流路部分４１Ａが連通する下側流下開口穴４１２とが上下に形成されている。オーバーフロー流路部材４２の前面であって、屈曲流路部２１２の下流側に対応する部位には、開口穴４２１が形成してある。
【００２６】
図２、図４に示すごとく、球皿パネル３における打球供給皿３１の後面側には、球皿パネル３を本体枠２に対して閉じた状態において、開口穴４２１内に配置されて、屈曲流路部２１２に沿って流下する遊技球を打球供給皿３１へ導く流下ガイド部３３が設けてある。この流下ガイド部３３は、球皿パネル３の後方へ突出して形成されており、屈曲流路部２１２から流下する遊技球が衝突する右側壁３３１と、後方側に形成した後側壁３３２とを有している。また、流下ガイド部３３の下流側の端部は、球皿パネル３の正面において、球払出口（球流入口）３３３として打球供給皿３１の配置部位に開口している。
【００２７】
図２に示すごとく、球皿パネル３を本体枠２に対して閉じた状態においては、球払出流路２１における前方流路部２１１及び屈曲流路部２１２を流下する遊技球は、流下ガイド部３３によって再度前方側へとガイドされて、打球供給皿３１へと導かれるよう構成されている。
一方、図３に示すごとく、球皿パネル３を本体枠２に対して開けたときには、球払出流路２１における屈曲流路部２１２がオーバーフロー流路４の本体枠側流路４１に対して開放され、屈曲流路部２１２の下流側端部がオーバーフロー流路部材４２に形成された本体枠側流路４１に上方から合流するよう構成してある。このとき、前方流路部２１１及び屈曲流路部２１２を流下する遊技球は、屈曲流路部２１２によって左右方向（本例では右方向）へ流下して本体枠側流路４１へと合流するため、球皿パネル３を本体枠２に対して開けたときにも、遊技球が開口穴４２１から零れ落ちることが防止される。
【００２８】
図５に示すごとく、本例の主ファール球回収流路５１は、球払出流路２１における前方流路部２１１の右側に隣接して設けてある。
第二案内部５１２の前方側端部には、第二案内部５１２に沿って前方へ流下するファール球（遊技球）を、左右方向（本例では左方向）へ屈曲させて流下させ、球払出流路２１における前方流路部２１１へ合流させるための屈曲流下壁５１６が設けてある。
迂回流下スペース５１０の出口部５１５は、屈曲流下壁５１６によって迂回流下スペース５１０を流下するファール球を球払出流路２１における前方流路部２１１に対して左右方向（本例では右方向）から合流させるように形成されている。この迂回流下スペース５１０の出口部５１５は、遊技盤２８の前面よりも後方側の位置において球払出流路２１における前方流路部２１１の側方部に開口している。
【００２９】
迂回流下スペース５１０における第一案内部５１１の前方側には、迂回流下スペース５１０からオーバーフロー流路４へファール球を流下させる連通流路５２の入口部５２１が形成してある。この連通流路５２の入口部５２１は、迂回流下スペース５１０の出口部５１５の右側に隣接して形成してある。
連通流路５２の出口部５２２は、連通流路５２を流下するファール球をオーバーフロー流路４に対して左右方向（本例では右方向）から合流させるように形成されている。この連通流路５２の出口部５２２は、遊技盤２８の前面よりも後方側の位置においてオーバーフロー流路４の側方部に開口している。
【００３０】
連通流路５２は、その入口部５２１から出口部５２２に向けて左側に屈曲して形成されている。
そして、打球供給皿３１及び前方流路部２１１における出口部５１５まで遊技球が満タンの状態となって、この出口部５１５が遊技球によって塞がれることにより、ファール球の前方流路部２１１への流出が規制されて迂回流下スペース５１０の第二案内部５１２までファール球が貯留されたときには、迂回流下スペース５１０の第一案内部５１１へ流下したファール球は、第一案内部５１１の前方側に形成された連通流路５２を介して補助球受皿３２へ導かれるよう構成されている。
【００３１】
図５に示すごとく、迂回流下スペース５１０は、右側の前方端部に、主ファール球回収流路５１の入口部（ファール球が流入する入口部）５１４を有している。
第一案内部５１１は、左斜め後方へファール球を流下させるための斜め後方壁５１１Ａを形成してなり、第二案内部５１２は、前方へファール球を流下させるための側壁５１２Ａを形成してなる。迂回流下スペース５１０は、斜め後方壁５１１Ａと側壁５１２Ａとによって囲まれて形成されており、第一案内部５１１における底面は、略三角形状に形成されており、第二案内部５１２における底面は、ファール球が一列で流下できる幅に形成されている。
なお、迂回流下スペース５１０の形状は、本実施例のような略三角形の形状に限定されず、ファール球を適切に迂回流下できる形状であれば、Ｕ字形状や四角形の形状等、様々な形状とすることができる。
【００３２】
第一案内部５１１における底面は、左斜め前方に向けて若干低くなる傾斜を有している。第二案内部５１２における底面は、前方に向けて低くなる傾斜を有している。迂回流下スペース５１０の底面において、第一案内部５１１と第二案内部５１２との間には、第二案内部５１２の底面の高さを第一案内部５１１の底面の高さより低くする段差部５１３（段差形状）が形成してある。
この段差部５１３の形成によって、第二案内部５１２に流下したファール球が第一案内部５１１へ逆流することを防止することができる。これにより、一度第二案内部５１２へと流下したファール球が誤って第一案内部５１１側に形成された連通流路５２の入口部５２１へ流下してしまうことを確実に防止することができる。
【００３３】
図３に示すごとく、上記ファール球のほとんどは、上記主ファール球回収流路５１に回収される一方、球発射装置２６から発射された発射球（遊技球）とファール球とが衝突したときには、この発射球が、球発射装置２６から遊技盤２８の遊技領域に向けて斜め上方に形成した発射レール２２へ逆流し、球発射装置２６における発射球（遊技球）の着座部へと戻るおそれがある。
そこで、発射レール２２における球発射装置２６に近い側の部分には、発射レール２２へ逆流した（戻った）ファール球を回収しオーバーフロー流路４へ合流させるための副ファール球回収流路５３が形成してある。
【００３４】
この副ファール球回収流路５３は、右側から左斜め上方へ傾斜して形成した発射レール２２に対して交差し、右側から左側へ遊技球を流下させるよう形成してある。発射レール２２と、遊技領域の円弧状の外縁部に沿った球ガイド２３との間には、空間２４が形成してあり、この空間２４に、主ファール球回収流路５１の入口部５１４が連通してある。
【００３５】
図６に示すごとく、本例のシャッター部材６は、下端部に回動支点部６１を有し、上端部に上流側から流下する遊技球を受け止める球受け面６２を有している。回動支点部６１は、左右方向に軸部を配置してなり、シャッター部材６は、回動支点部６１付近に適宜配設されたスプリング等の付勢部材（図示略）によって前方側へ回動するよう付勢されている。また、球受け面６２は、回動支点部６１を中心とする円周に沿った円弧形状の面に形成してある。
【００３６】
同図に示すごとく、球皿パネル３を本体枠２に対して閉じたときには、シャッター部材６は、球皿側流路４５の後壁部と当接して後方側に押されることにより、本体枠２に形成されたシャッター部材収納部２７に収納される。これにより、球皿パネル３を本体枠２に対して閉じたとき（通常遊技状態）には、本体枠側流路４１と球皿側流路４５とが連結された状態のオーバーフロー流路４が形成される。
そして、図７に示すごとく、球皿パネル３を本体枠２に対して開けたときには、シャッター部材６が付勢部材の付勢力を受けて回動支点部６１を中心に前方側へ回動し、上端部の球受け面６２がオーバーフロー流路４における本体枠側流路４１の下流側端部４１１を閉塞（遮断）するよう構成してある。
【００３７】
図３、図７に示すごとく、本例のシャッター部材６は、球皿パネル３を本体枠２に対して開けたときに、本体枠側流路４１における下流側端部４１１を遮ると共に、副ファール球回収流路５３における下流側端部５３１も遮るよう構成してある。図３においては、シャッター部材６が前方側へ回動した状態６Ｘを２点鎖線で示す。
副ファール球回収流路５３における下流側端部５３１は、球皿パネル３を本体枠２に対して閉じた状態においては、本体枠側流路４１の下流側端部４１１の近傍、すなわちオーバーフロー流路４における球皿側流路４５の側方（本例では右側）に開口しており、球皿パネル３を本体枠２に対して開けたときには、前方側へ回動したシャッター部材６の側面（本例では右側側面）６３によって遮蔽されるよう構成されている。
【００３８】
図４に示すごとく、オーバーフロー流路４における球皿側流路４５に設けた満タン検出部７は、球皿側流路４５内の遊技球の球圧を受けて作動するよう球皿側流路４５に設けた満タン作動部７１と、満タン作動部７１の作動を検出するよう構成した満タン作動検知部７２とからなる。
満タン作動検知部７２は、接触式のスイッチからなり、このスイッチの検知部が満タン作動部７１によって押し込まれたときに、満タン状態（最大貯留可能量になった状態）を検知するよう構成してある。満タン作動部７１は、球皿流路部の側壁の一部を構成し、球皿側流路４５内の遊技球の球圧を受けて作動するよう構成してある。満タン作動部７１は、上端部に回動支点部７１１を有しており、遊技球の球圧を受けて回動し、満タン作動検知部７２を構成するスイッチの検知部を押し込むよう構成してある。
また、満タン作動部７１は、満タンではない状態（通常状態）においては、満タン作動検知部７２の検知部を押し込まない位置に位置している。
【００３９】
次に、本例の遊技機１におけるファール球の回収、オーバーフロー時の流下機構、満タン検知、メンテナンス等を目的として球皿パネル３を開けたときの動作等、及びこれらによる作用効果につき説明する。
球皿パネル３を本体枠２に対して閉じた状態（通常遊技状態）において、パチンコ遊技を行い入賞があったときには、球払出装置は、賞球として球払出流路２１へ所定数の遊技球を払い出す。このとき、遊技球は、球払出流路２１において、前方流路部２１１及び屈曲流路部２１２を流下して流下ガイド部３３へ流下し、流下ガイド部３３から打球供給皿３１へ払い出される。
【００４０】
また、図５に示すごとく、球発射装置２６から発射された後、遊技盤２８の遊技領域へ到達せずに戻ってきたファール球は、通常、主ファール球回収流路５１（迂回流下スペース５１０）の入口部５１４へ流下する。同図において、ファール球の流れを矢印Ｆで示す。
そして、迂回流下スペース５１０の入口部５１４に流下したファール球は、その流入時の勢いにより、第一案内部５１１の底面の傾斜（左前方傾斜）に抗して後方へと流下する。そのときにまず、第一案内部５１１を形成する斜め後方壁５１１Ａに沿って左斜め後方へ流下し、次いで、段差部５１３によって第二案内部５１２へ降下した後、第二案内部５１２を形成する側壁５１２Ａに沿って前方へ流下する。次いで、ファール球は、屈曲流下壁５１６によって球払出流路２１における前方流路部２１１へ向けて屈曲して流下し、出口部５１５から前方流路部２１１へと合流する。その後は、前方流路部２１１、屈曲流路部２１２及び流下ガイド部３３を経由して、打球供給皿３１へ戻される。
【００４１】
このように、第一案内部５１１から流下してきたファール球を、第二案内部５１２の側壁５１２Ａによって受け止めつつ第二案内部５１２の前方へと流下させている。これにより、ファール球の流下によって発生する球圧を側壁５１２Ａによって適切に減少させることができる。そのため、球圧によって発生する可能性のある不適切な遊技球の流下や球詰まりを適切に防止することができる。
【００４２】
このとき、迂回流下スペース５１０の出口部５１５から前方流路部２１１へと排出されたファール球が、球払出装置から払い出された遊技球と衝突等して、出口部５１５から迂回流下スペース５１０内へと逆流したとしても、屈曲流下壁５１６の壁部が出口部５１５の上流部と連通流路５２の入口部５２１とを区画形成するように配置されているので、逆流したファール球が誤って連通流路５２の入口部５２１へと流下してしまうことを適切に防止することができる。また、第一案内部５１１と第二案内部５１２との仕切り部には段差部５１３が設けられているので、第二案内部５１２から第一案内部５１１へとファール球が逆流することを適切に防止することができる。
【００４３】
図２、図５、図８に示すごとく、パチンコ遊技を行う際に、打球供給皿３１が遊技球によって満タン状態（最大貯留可能量）になったときは、打球供給皿３１から溢れ出した遊技球は、流下ガイド部３３、屈曲流路部２１２及び前方流路部２１１へと充満される。そして、遊技球が区画流路部材４３の前方側傾斜部分Ａに充満したときには、遊技球は、頂点部Ｃを乗り越えて、区画流路部材４３の後方側傾斜部分Ｂから本体枠側流路４１の後方側流路部分４１Ａへと流下する（図８において、この遊技球の流下を矢印Ｊで示す。）。これにより、遊技球は、球皿側流路４５を経由して補助球受皿３２へ導かれる。
【００４４】
また、上記打球供給皿３１が遊技球によって満タン状態になったときに、打球供給皿３１から溢れ出した遊技球が前方側流路部２１１まで充満して出口部５１５を塞いだときには、主ファール球回収流路５１に流下したファール球は、第一案内部５１１を流下して第二案内部５１２に貯留される。その後、第二案内部５１２がファール球で充満されたときには、ファール球は、第一案内部５１１に連通する連通流路５２を介して補助球受皿３２へ導かれる。図５において、打球供給皿３１が満タン状態にあるときのファール球の流れを矢印Ｏで示す。
【００４５】
その後、補助球受皿３２が遊技球によって満たされたときには、それ以降の遊技球は球皿側流路４５に貯留され、貯留された遊技球の球圧によって満タン作動部７１が回動し、満タン作動検知部７２における検知部が押し込まれて、満タン状態（最大貯留可能量）が検知される。このとき、遊技機１の制御装置は、球払出装置による遊技球の払出を停止させる。
【００４６】
このように、本例の遊技機１においては、打球供給皿３１が遊技球によって満タン状態になるまでは、ファール球を、迂回流下スペース５１０の出口部５１５から打球供給皿３１へ安定して流下させることができる。一方、打球供給皿３１が満タン状態になったときには、迂回流下スペース５１０に所定量のファール球を貯留することができ、その後、ファール球を、連通流路５２の入口部５２１からオーバーフロー流路４及び補助球受皿３２へ安定して流下させることができる。
【００４７】
これにより、打球供給皿３１における遊技球の貯留状態によって、ファール球を打球供給皿３１へ流下させるか、補助球受皿３２へ流下させるかを安定して振り分けることができる。また、ファール球が主ファール球回収流路５１から溢れ出して、球発射装置２６の側へ逆流することを防止することができ、球発射装置２６から発射された遊技球に悪影響を与えることを防止することができる。
また、迂回流下スペース５１０の形成により、主ファール球回収流路５１におけるファール球の貯留量を増加させることもできる。
【００４８】
それ故、本例の遊技機１の球流下機構によれば、打球供給皿３１における遊技球の貯留状態によらず、安定してファール球を流下させることができ、ファール球が遊技に悪影響を及ぼすことを防止することができる。
【００４９】
また、図３に示すごとく、球発射装置２６から発射された発射球（遊技球）とファール球とが衝突したときには、この発射球が、球発射装置２６から遊技盤２８の遊技領域に向けて斜め上方に形成した発射レール２２へ逆流することがある。このとき、発射球は、発射レール２２から副ファール球回収流路５３へ流下する。そして、この発射球は、オーバーフロー流路４における球皿側流路４５を介して補助球受皿３２へ回収される。同図において、副ファール球回収流路５３への遊技球の流れを矢印Ｇで示す。
【００５０】
また、図７に示すごとく、メンテナンス等を目的として、球皿パネル３を本体枠２に対して開けたときには、球皿パネル３の後方側に突出する流下ガイド部３３が、オーバーフロー流路部材４２における開口穴４２１から抜き出される。このとき、前方流路部２１１及び屈曲流路部２１２に遊技球が存在する場合には、この遊技球は、図３に示すごとく、屈曲流路部２１２によって右方向へ流下して、オーバーフロー流路部材４２に形成された本体枠側流路４１へと上方から合流するように流下することができる。これにより、開口穴４２１から遊技球が零れ落ちることを防止することができる。図３において、屈曲流路部２１２によって右方向へ流下する遊技球の流れを矢印Ｈで示す。
【００５１】
このように、本例の遊技機１においては、打球供給皿３１へ遊技球を払出供給するために開口された開口穴４２１付近に対して別途シャッター部材を設ける必要がなく、仮に、打球供給皿３１へ遊技球の払出を行う最中に、球皿パネル３を開けたときでも、遊技球が開口穴４２１から零れ落ちることを防止することができる。
【００５２】
また、図７に示すごとく、球皿パネル３を開けたときには、シャッター部材６が付勢部材による付勢力を受けて前方側へ回動する。
これにより、本体枠側流路４１の下流側端部４１１がシャッター部材６の球受け面６２によって遮蔽され、本体枠側流路４１の下流側端部４１１から遊技球が零れることを防止することができる。また、副ファール球回収流路５３の下流側端部５３１がシャッター部材６の側面６３によって遮蔽され、副ファール球回収流路５３から遊技球が零れ落ちることを防止することができる。そのため、球皿パネル３を本体枠２に対して開けたときに、同じシャッター部材６によって本体枠側流路４１の下流側端部４１１及び副ファール球回収流路５３の下流側端部５３１から遊技球が零れ落ちることを防止することができ、シャッター部材６が占めるスペースを小さくすることができる。
【００５３】
また、図４に示すごとく、球皿側流路４５には、上記のごとく、遊技球の払出を停止させるための満タン検出部７が配設してある。そして、補助球受皿３２に貯留する遊技球が満タン状態になったときには、満タン検出部７が作動し、遊技球の払出を停止させることができる。これにより、満タン検出部７よりも上流側に位置する球皿側流路４５の部分及び本体枠側流路４１にまで遊技球が貯留されることがない。そのため、球皿パネル３を開けた際、シャッター部材６によって本体枠側流路４１における下流側端部４１１を遮るときに、シャッター部材６が多数の遊技球の間に割って入ることがない。そして、シャッター部材６を移動させるときにシャッター部材６に加わる負荷を低減することができ、シャッター部材６によって、遊技球が零れ落ちることを安定して防止することができる。
【００５４】
それ故、本例の遊技機１の球流下機構によれば、１つのシャッター部材６によって、複数の流路４１、５３の下流側端部４１１、５３１を遮蔽して、球皿パネル３を開けたときに遊技球が零れ落ちることを防止することができ、シャッター部材６に遊技球による負荷が加わることを防止することができる。
【００５５】
また、上記のごとく、本例の遊技機１においては、迂回流下スペース５１０の出口部５１５は、遊技盤２８の前面より後方側の位置において前方流路部２１１の側方部に開口しており、連通流路５２の出口部５２２は、遊技盤２８の前面より後方側の位置においてオーバーフロー流路４の側方部に開口している。これにより、打球供給皿３１における球払出口３３３又は補助球受皿３２における球払出口から、針金等の種々の不正手段を差し込み、この不正手段によって迂回流下スペース５１０の出口部５１５又は連通流路５２の出口部５２２を介して、遊技盤２８の遊技領域に配置された遊技装置等に不正な行為を行おうとしても、迂回流下スペース５１０の出口部５１５や連通流路５２の出口部５２２が遊技盤２８の前面よりも後方側という遊技機において奥まった位置にあり、かつ、これらの出口部５１５、５２２が前方側ではなく側方に開口しているので、不正手段を遊技機１の内部に侵入させる行為を行い難くすることができる。そのため、遊技機１の防犯性を向上させることができる。
【００５６】
さらに、オーバーフロー通路部材４２において、球発射装置２６の側に位置する上面及び側面には、防犯用の板金４２２が配設してある。この板金４２２の配設により、打球供給皿３１における球払出口３３３や補助球受皿３２の球払出口から熱線等の種々の不正手段を差し込んで、オーバーフロー通路部材４２を含む本体枠２における樹脂部材に穴を開け、その穴を利用して遊技盤２８の遊技領域内に配置された遊技装置に対して不正な行為をしようとしても、板金４２２によりその穴開け行為が防止されるので、上記不正行為を防止することができる。
【符号の説明】
【００５７】
１  遊技機
２  本体枠
２１  球払出流路
２６  球発射装置
３  球皿パネル
３１  打球供給皿
３２  補助球受皿
４  オーバーフロー流路
５１  主ファール球回収流路
５１０  迂回流下スペース
５１１  第一案内部
５１２  第二案内部
５１３  段差部
５１４  入口部
５１５  出口部
５２  連通流路
５２１  入口部
【図１】
2011055994.tif 000003
【図２】
2011055994.tif 000004
【図３】
2011055994.tif 000005
【図４】
2011055994.tif 000006
【図５】
2011055994.tif 000007
【図６】
2011055994.tif 000008
【図７】
2011055994.tif 000009
【図８】
2011055994.tif 000010